(57)【要約】【課題】入場用のチケットを、電子チケットとして、購入者に対してインターネットを介し、短時間で効率的に発行可能とした電子チケット発行システム及び電子チケットを提供する。【解決手段】サーバは、ユーザー情報データベースと、通信端末からＵＩＭカードに記憶されたユーザー識別情報を受信する手段と、この受信したユーザー識別情報とユーザー情報データベースに登録されている情報とを照合し、電子チケット発行の是非を判定する判定手段と、電子チケットの発行を行うと判定された際に、電子チケットを通信端末に対して送信する手段を有し、通信端末は、ＵＩＭカードに記憶されたユーザー識別情報をサーバに送信する手段と、サーバから電子チケットを受信する手段とを有し、携帯用リーダライタは、通信端末から電子チケットを読み取り、ＵＩＭカードに前記電子チケットを記憶させる手段を有することを特徴とする。【選択図】        図１
2004334612.tif 000002
【特許請求の範囲】
【請求項１】
電子チケットを管理するサーバと、前記サーバと通信可能に接続された通信端末と、ＵＩＭ（Ｕｎｉｖｅｒｓａｌ  Ｉｄｅｎｔｉｔｙ  Ｍｏｄｕｌｅ）カードが備えられ、前記通信端末に取り外し可能に装着された携帯用リーダライタと、からなる電子チケット発行システムであって、
前記サーバは、予めユーザー識別情報が登録されたユーザー情報データベースと、前記通信端末からＵＩＭカードに記憶されたユーザー識別情報を受信する手段と、この受信したユーザー識別情報と前記ユーザー情報データベースに登録されている情報とを照合し、電子チケット発行の是非を判定する判定手段と、前記判定手段で電子チケットの発行を行うと判定された際に、前記電子チケットを前記通信端末に対して送信する手段を有し、
前記通信端末は、前記ＵＩＭカードに記憶されたユーザー識別情報を前記サーバに送信する手段と、前記サーバから電子チケットを受信する手段とを有し、
前記携帯用リーダライタは、前記通信端末から電子チケットを読み取り、前記ＵＩＭカードに前記電子チケットを記憶させる手段を有することを特徴とする電子チケット発行システム。
【請求項２】
請求項１記載の電子チケット発行システムで発行されることを特徴とする電子チケット。
【請求項３】
前記電子チケットには、音楽情報又は画像情報が記憶されていることを特徴とする請求項２記載の電子チケット。
【発明の詳細な説明】
【０００１】
【発明の属する技術分野】
本発明は、例えば、イベント会場などに入場する際に用いるチケットを、電子チケットとしてインターネットを介して購入者に発行することができる電子チケット発行システム及び電子チケットに関する。
【０００２】
【従来の技術】
従来、コンサートや演劇等のイベントを見に行く場合には、予め入場用のチケットをチケット販売業者から購入しているが、近年、チケット処理の効率化などを図るために、ＩＣカードにチケット情報を記憶させ、イベント会場の入場口でＩＣカードリーダーにより、お客が持参したＩＣカードからチケット情報を読み取り、入場チェックを行うシステムや、また携帯電話機を利用して、携帯電話機にチケット情報を記憶させ、イベント会場の入場口でお客が持参した携帯電話機からチケット情報を読み取り、入場チェックを行うシステムなどが既に知られている。（例えば、参考文献１、参考文献２）
【０００３】
しかしながら、ＩＣカードを用いたシステムでは、イベント会場の入場口にＩＣカードリーダーを設置する必要があり、特に大きな会場の場合には、数多くのＩＣカードリーダーを設けなければならず、コスト負担も大きく、設置の手間がかかるという問題がある。
また、携帯電話機を利用したシステムの場合には、近年において、写真撮影機能を有する携帯電話機が市販されていることからも、例えばコンサート会場に携帯電話機の持ち込むことで、撮影されることを防止するために、携帯電話機の持ち込みを禁止している場合があり、このような場合には携帯電話機を利用したチケットシステムを利用できないという問題もある。
【０００４】
【特許文献１】
特開２００２−１６３６８９
【特許文献２】
特開２００２−１０９３４３
【０００５】
【発明が解決しようとする課題】
本発明は、イベント等が開催されるイベント会場などへ入場する際に必要なチケットを、電子チケットとして、購入者に対してインターネットを介し、短時間で効率的に発行可能とした電子チケット発行システムと、また、電子チケットの購入時に、特別な音楽情報を提供しイベントへの訴求効果を高めることのできる電子チケットを提供する。
【０００６】
【課題を解決するための手段】
本発明の電子チケット発行システムは、電子チケットを管理するサーバと、前記サーバと通信可能に接続された通信端末と、ＵＩＭ（Ｕｎｉｖｅｒｓａｌ  Ｉｄｅｎｔｉｔｙ  Ｍｏｄｕｌｅ）カードが備えられ、前記通信端末に取り外し可能に装着された携帯用リーダライタと、からなる電子チケット発行システムであって、前記サーバは、予めユーザー識別情報が登録されたユーザー情報データベースと、前記通信端末からＵＩＭカードに記憶されたユーザー識別情報を受信する手段と、この受信したユーザー識別情報と前記ユーザー情報データベースに登録されている情報とを照合し、電子チケット発行の是非を判定する判定手段と、前記判定手段で電子チケットの発行を行うと判定された際に、前記電子チケットを前記通信端末に対して送信する手段を有し、前記通信端末は、前記ＵＩＭカードに記憶されたユーザー識別情報を前記サーバに送信する手段と、前記サーバから電子チケットを受信する手段とを有し、前記携帯用リーダライタは、前記通信端末から電子チケットを読み取り、前記ＵＩＭカードに前記電子チケットを記憶させる手段を有することを特徴とする。
【０００７】
また、本発明の電子チケットは、前記電子チケット発行システムで発行されることを特徴とする。
更に、本発明の電子チケットは、音楽情報又は画像情報が記憶されていることを特徴とする。
【０００８】
【発明の実施の形態】
以下、本発明の実施の形態を図面に基づいて詳細に説明する。
図１は、本発明の実施形態に係る電子チケット発行システムの概要の構成を示す図、図２は、本発明の実施形態に係る電子チケット発行システムのシステムブロック図、図３は、本発明に使用するＵＩＭカードの斜視図、図４は、本発明に使用する携帯用リーダライタの斜視図、図５は、本発明の実施形態に係る電子チケット発行システムの処理手順を示すフローチャートである。
【０００９】
まず、図１に基づいて、本発明の実施形態に係る電子チケット発行システムの概要を説明する。
イベントを主催する興行主１から、イベント会場における入場用の電子チケットの販売を委託されたチケット販売会社２には、電子チケットの発行処理を行うサーバ３が備えられている。
また、イベントの電子チケットの購入を希望するユーザーである顧客の自宅４には、パソコン等の通信端末５が備えられ、この通信端末５とチケット販売会社２のサーバ３とが、インターネット６により通信可能に接続されている。
サーバ３とユーザーとの通信は必要に応じて暗号化される。
【００１０】
これにより、顧客は、自宅の通信端末５を使用して、インターネット６を介してチケット販売会社２のサーバ３に対して、所望のイベントに入場するための電子チケットの購入依頼を通信で行うことができ、この購入依頼に対応して、チケット販売会社２のサーバ３から顧客の通信端末５に対して、インターネット６を介して電子チケットを送信できるようにシステム化されている。
【００１１】
また、通信端末５には、その通信端末５がインターネット６を介してチケット販売会社２のサーバ３から受信した電子チケットを、書き込み可能に構成された携帯用リーダライタ７が、通信端末５の接続部に着脱可能に設けられている。
この携帯用リーダライタ７には、携帯用リーダライタ７に取り外し可能に装着されるＵＩＭカード８が備えられ、通信端末５から読み取った電子チケットをＵＩＭカード８に記憶可能に構成されている。
尚、携帯用リーダライタ７は、図４に示すような、ＵＩＭカード８を外側にセットする仕様に限定されるものではなく、内部に挿入する仕様など種々の仕様とすることができる。
ＵＩＭカード８とは、各々のユーザーを識別可能な識別情報が記憶されたユーザー識別モジュールが備えられたカードである。
また、携帯用リーダライタ７には、記憶手段としてＥＥＰＲＯＭ３４を搭載してもよい。
ＥＥＰＲＯＭ３４を設けることで、ＵＩＭカード８で賄い切れないデータサイズの情報を扱う事が出来るようになり、例えば、音楽情報など比較的大量のデータ記憶が可能となる。
【００１２】
そして、その顧客がイベントに参加するためにイベント会場に行く際には、携帯用リーダライタ７を持参する。
イベント会場の入場口には、入場管理を行う入場管理装置が設置されていて、この入場管理装置で携帯用リーダライタ７から、ＵＩＭカード８に記憶されている電子チケットを非接触方式で読み取り、読み取った電子チケットが予め登録された情報と照合判定されることでチェックが行われ、入場ゲートの開閉等により入場者の入場管理が行われるようにしてある。
【００１３】
次に、図２に基づいて、本発明の実施形態に係る電子チケットの発行入場管理システムのシステム構成について説明する。
チケット販売会社２のサーバ３には、判定手段１３、電子チケット管理データベース１４、ユーザー情報データベース１５、通信手段１６、制御手段１７が備えられている。
電子チケット管理データベース１４には、電子チケットの発行に必要なイベント名、開催日程、会場、座席などの情報が登録されている。
また、ユーザー情報データベース１５には、ユーザー識別情報、個人情報などの情報が予め登録されている。
したがって、ユーザー識別情報から個人情報を特定可能にしてある。
【００１４】
また、顧客の自宅４に備えられている通信端末５には、表示手段１８、入力手段１９、記憶手段２０、通信手段２１、ＵＳＢインターフェース２２、制御手段２３が備えられている。
【００１５】
携帯用リーダライタ７には、ＵＳＢインターフェース２４、非接触送信手段２５、制御手段２６、必要に応じ記憶手段であるＥＥＰＲＯＭ３４とが備えられ、通信端末５のＵＳＢインターフェース２２と携帯用リーダライタ７のＵＳＢインターフェース２４により、通信端末５から電子チケットの受信ができるようにしてある。
また、非接触送信手段２５は、アンテナコイル等により構成されており、電子チケットを無線により、イベント会場の入場口などに備えられた入場管理装置に送信可能としてある。
【００１６】
この顧客用の携帯用リーダライタ７は、図３及び図４に示すように、ＵＩＭ（Ｕｎｉｖｅｒｓａｌ  Ｉｄｅｎｔｉｔｙ  Ｍｏｄｕｌｅ）カード８と呼ばれる小型サイズのＩＣカードを取り外し可能に装着するための装着部２８が設けられ、更にこの装着部２８には、ＵＩＭカード８の接続端子に接続するための接触端子２９が複数設けられている。
また、携帯用リーダライタ７には、顧客用の通信端末５に形成されているＵＳＢインターフェース２２と接続するための挿入部に挿入させてセットするための挿入部３０が設けられている。
【００１７】
また、ＵＩＭカード８には、少なくとも記憶手段２７を有していて、この記憶手段２７にユーザー識別情報が予め登録され、更に携帯用リーダライタ７から書き込まれた電子チケットが記憶される。
【００１８】
次に、本発明の実施形態に係る電子チケット発行システムの処理手順を、図５のフローチャート図に基づいて説明する。
まず、前提として、イベントを主催する興行主１から、イベント会場の入場チケットの販売を委託されたチケット販売会社２には、予め登録された顧客に対して、各種イベントの紹介情報や広告情報等を、インターネットを利用して、顧客が通信端末５で閲覧できるようにしておく。
顧客は、これらのイベント情報を通信端末５により閲覧することで、購入したいイベントチケット情報が見つかった場合に、以下に示す手順により電子チケットの購入処理を行う。
【００１９】
まず、電子チケットを購入する顧客は、通信端末５のＵＳＢインターフェース２２と携帯用リーダライタ７のＵＳＢインターフェース２３とが接続するようにセットさせておき、顧客の通信端末５からインターネットを介してサーバ３に、ユーザー識別情報と共に、所望のイベントに関する電子チケットの購入申込み情報を送信する。（ステップＳ１）
また、送信する情報は、必要に応じ暗号化される。
【００２０】
次に、サーバ３は、判定手段１３により、受信されたユーザー識別情報がユーザー情報データベース１５に既に登録されているか否かを照合し、電子チケットを受け取る条件をその顧客が満たしているか判定処理される。（ステップＳ２）
この場合に、ユーザーからの情報が暗号化されている場合には、判定処理に先立ち複合化が行われる。
そして、判定手段１３で電子チケットの送信を行ってもよいとの判定がされた場合に、顧客の通信端末５から受信された所望のイベントに関する電子チケットに関して、電子チケット管理データベース１４からその発行に必要な情報を抽出し、通信端末５に対してインターネットを介して電子チケットを送信する。（ステップＳ３）
また、送信する情報は、必要に応じ暗号化される。
【００２１】
次に、電子チケットを受信した通信端末５は、ＵＳＢインターフェース２２から携帯用リーダライタ７のＵＳＢインターフェース２４に、電子チケットを送信した後、ＵＩＭカード８の記憶手段２７に電子チケットを記憶させる。（ステップＳ４）
以上の処理により、顧客に対して電子チケットの発行処理が行われる。
また、電子チケットを購入した顧客は、イベントのＷｅｂサイト等からイベントの関する特別な情報の閲覧やデータのダウンロードが可能となる。
ダウンロードされるデータは、必要に応じ暗号化された状態で顧客のＵＩＭカード８又は携帯用リーダライタ７のＥＥＰＲＯＭ３４に記憶される。
【００２２】
また、顧客に発行された電子チケットは、次の処理により使用される。
発行顧客がイベントに参加するためにイベント会場に行く際に、顧客は、携帯用リーダライタ７を持参し、イベント会場に設置されている入場管理装置により、ＵＩＭカード８に記憶されている電子チケットを読み取り、照合情報と照合判定され、照合一致した場合に入場ゲートから顧客の入場が行えるようにすることで、入場管理が行われる。
【００２３】
【発明の効果】
以上説明したように、本発明の電子チケット発行システムは、予めユーザー情報データベースに登録されたユーザー識別情報に基く本人照合を行うので、イベント等が開催されるイベント会場などへ入場する際に必要なチケットを、購入者に対してインターネットを介し短時間で効率的に発行することができるという効果がある。
また、本発明の電子チケットにおいて、興行主は、購入者に対し、特別な情報の提供が可能となり、イベントの訴求効果を高める事が可能となり、顧客にとっては、イベントの入場が容易となるだくでなく、興行主から提供される特別な情報が入手出来、イベント前後の独自に楽しむことが可能となるという効果がある。
【図面の簡単な説明】
【図１】本発明の実施形態に係る電子チケット発行システムの概要の構成を示す図である。
【図２】本発明の実施形態に係る電子チケット発行システムのシステムブロック図である。
【図３】本発明に使用するＵＩＭカードの斜視図である。
【図４】本発明に使用する携帯用リーダライタの斜視図である。
【図５】本発明の実施形態に係る電子チケット発行システムの処理手順を示すフローチャートである。
【符号の説明】
１  興行主
２  チケット販売会社
３  サーバ
４  顧客の自宅
５  通信端末
６  インターネット
７  携帯用リーダライタ
８  ＵＩＭカード
１３  判定手段
１４  電子チケット管理データベース
１５  ユーザー情報データベース
１６，２１  通信手段
２０，２７  記憶手段
１７，２３，２６  制御手段
２２，２４  ＵＳＢインターフェース
２５  非接触送信手段
２８  装着部
２９  接触端子
３０  挿入部
３１  外部接続端子
３２  ＩＣモジュール
３３  基板
３４  ＥＥＰＲＯＭ
【図１】
2004334612.tif 000003
【図２】
2004334612.tif 000004
【図３】
2004334612.tif 000005
【図４】
2004334612.tif 000006
【図５】
2004334612.tif 000007